(57)【要約】【課題】ローレットねじで保護板の塗膜を削らずとも保護板のアース経路を確保可能な構造とすること。【解決手段】電気機器を搭載する機器搭載部２１と、電気機器の導通部分を覆うように設置される保護板２２と、保護板２２を支持するために機器搭載部２１上に配置される保護板支持部材２３と、保護板２２と保護板支持部材２３とを固定する保護板固定部材２４とを備えた電気電子機器収納用箱であって、保護板２２の非塗装部と電気的につながる導通金具３が、保護板支持部材２３と保護板固定部材２４との間に配置された構成とする。【選択図】図３
2018133929.tif 000002
【特許請求の範囲】
【請求項１】
電気機器を搭載する機器搭載部と、電気機器の導通部分を覆うように設置される保護板と、保護板を支持するために機器搭載部上に配置される保護板支持部材と、保護板と保護板支持部材とを固定する保護板固定部材とを備えた電気電子機器収納用箱であって、保護板の非塗装部と電気的につながる導通金具が、保護板支持部材と保護板固定部材との間に配置された電気電子機器収納用箱。
【請求項２】
導通金具が、保護板と保護板固定部材との間に配置された請求項１に記載の電気電子機器収納用箱。
【請求項３】
導通金具を保護板に固定する導通ねじの一部が保護板の表面に露出した請求項１又は２に記載の電気電子機器収納用箱。
【発明の詳細な説明】
【技術分野】
【０００１】
本発明は、電気電子機器収納用箱に関するものである。
【背景技術】
【０００２】
特許文献１に記載されているように、中扉などと称されるような保護板を備えた電気電子機器収納用箱は知られている。保護板には塗装がなされているが、塗装された部分については、非導電性である。そこで、突起状の歯を供えた歯付座金がローレットねじと保護板との間に用いられている。このような歯付座金は、螺合させる際に塗膜を削ることで、ローレットねじを介して保護板がアースされた状態を確保することを目的としたものである。
【先行技術文献】
【特許文献】
【０００３】
【特許文献１】特開２００６−４９４００号公報
【０００４】
しかしながら、歯付座金で塗膜を削る手段では、塗膜の厚みよりも、削り深さが浅い場合は、保護板のアース経路を確保できない。また、導通を確保できたとしても、歯付座金はローレットねじと保護板との間に隠れてしまうため、保護板上に非塗装部分が露出せず、保護板のアースが確保された状態を検査することが困難であった。このため、本発明者は、新たな手段により、保護板のアース経路を確保することを模索することにした。
【発明の概要】
【発明が解決しようとする課題】
【０００５】
本件の発明者は、このような経緯でなされたものであり、本発明の課題は、ローレットねじで保護板の塗膜を削らずとも保護板のアース経路を確保可能な構造とすることである。
【課題を解決するための手段】
【０００６】
上記課題を解決するため、電気機器を搭載する機器搭載部と、電気機器の導通部分を覆うように設置される保護板と、保護板を支持するために機器搭載部上に配置される保護板支持部材と、保護板と保護板支持部材とを固定する保護板固定部材とを備えた電気電子機器収納用箱であって、保護板の非塗装部と電気的につながる導通金具が、保護板支持部材と保護板固定部材との間に配置された電気電子機器収納用箱とする。
【０００７】
また、導通金具が、保護板と保護板固定部材との間に配置された構成とすることが好ましい。
【０００８】
また、導通金具を保護板に固定する導通ねじの一部が保護板の表面に露出した構成とすることが好ましい。
【発明の効果】
【０００９】
本発明では、ローレットねじで保護板の塗膜を削らずとも保護板のアース経路を確保可能な構造とすることが可能となる。
【図面の簡単な説明】
【００１０】
【図１】電気電子機器収納用箱の斜視図である。
【図２】内機の斜視図である。
【図３】保護板の表面に固定された導通金具周りの斜視図である。但し、機器は省略している。
【図４】保護板の表面に固定された導通金具周りの側面図である。但し、機器は省略している。
【図５】保護板の表面に固定された導通金具周りの分解斜視図である。但し、機器は省略している。
【図６】保護板の裏面に固定された導通金具周りの分解斜視図である。但し、機器は省略している。
【図７】保護板の裏面に固定された導通金具周りの側面図である。但し、機器は省略している。
【図８】回動可能な保護板が開いた状態を示した内機の斜視図である。
【図９】回動可能な保護板が閉じた状態を示した内機の斜視図である。
【発明を実施するための形態】
【００１１】
以下に発明を実施するための形態を示す。本実施形態の電気電子機器収納用箱１は、電気機器１３を搭載する機器搭載部２１と、電気機器１３の導通部分を覆うように設置される保護板２２と、保護板２２を支持するために機器搭載部２１上に配置される保護板支持部材２３と、保護板２２と保護板支持部材２３とを固定する保護板固定部材２４とを備えている。また、保護板２２の非塗装部と電気的につながる導通金具３が、保護板支持部材２３と保護板固定部材２４の頭部２４ａとの間に配置されている。したがって、ローレットねじで保護板２２の塗膜を削らずとも保護板２２のアース経路を確保可能な構造とすることができる。また、ローレットねじを手で締め付けるという作業により保護板２２の塗膜を削るわけではないので、強い力でローレットねじの締め付けを行う必要もなくなる。
【００１２】
ここで、本実施形態の電気電子機器収納用箱１について説明する。電気電子機器収納用箱１は、図１に示すように、開口を備えた筐体１１と、この開口を覆うことが可能であるとともに外径の一部を形成する扉１２を備えている。筐体１１の内部には、図２に示すような内機２が取り付けられている。この内機２は、分岐ブレーカなどの電気機器１３を搭載する機器搭載部２１と、電気機器１３の導通部分を覆うように設置される保護板２２と、保護板２２を支持するために機器搭載部２１上に配置される保護板支持部材２３と、を備えている。保護板２２は移動可能とされており、保護板２２が電気機器１３の導通部分を覆った状態を維持する際には、保護板固定部材２４を用いて保護板２２と保護板支持部材２３を固定する。また、筐体１１の内部には、筐体１１と導通が確保されるアース端子部が設けられており、アース端子部に接続された電線等を接地することで、筐体１１のアース経路を確保している。
【００１３】
図３乃至図５に示す例においては、保護板２２と保護板固定部材２４の頭部２４ａとの間に導通金具３が、配置されている。より具体的には、鈑金の非塗装物である導通金具３が保護板２２の上面に固定されている。本実施形態の導通金具３は、導通ねじ４を挿入可能な孔３２と、保護板固定部材２４の首部２４ｂを挿入可能な孔３１と、を備えた略平板状の部材である。この導通金具３は、保護板２２上の非塗装箇所に電気的につながるように固定されることで、導通金具３と保護板２２との導通が確保されている。
【００１４】
非塗装箇所とは、保護板２２上の部分的に塗装されていない箇所や、塗装後の保護板２２にねじ穴９２を形成する加工を行い、塗装を剥離した箇所などである。非塗装箇所が保護板２２上の部分的に塗装されていない箇所である場合、導通金具３と保護板２２の非塗装部分とが接触するように固定させることで、直接導通を確保できる。また、塗装後の保護板２２にねじ穴９２を形成する加工を行うことで塗装を剥離することで非塗装箇所を設ける場合、導通ねじ４を使用し、ねじ穴９２で導通金具３を固定すれば、導通ねじ４を介して導通金具３と保護板２２との導通を確保できる。
【００１５】
導通金具３は、保護板固定部材２４であるローレットねじが通過する孔３１を備えている。ローレットねじは、導通金具３の孔３１と保護板２２の孔９１を通過して、導電性の保護板支持部材２３である保護板支持金具に固定される。ローレットねじと導通金具３は接触するように構成されている。例えば、ローレットねじのねじ頭部２４ａの下面が非塗装の金属からなる場合、ローレットねじを締め付け、導通金具３と接触させれば直接導通を確保できる。また、ローレットねじの頭部２４ａの下面が非塗装の金属で構成されない場合であっても、ねじ頭部２４ａの下方のねじ首部２４ｂに、座金などの非塗装金具を設けることで、座金を介して導通を確保することができる。
【００１６】
機器搭載部２１の構成要素である金属製の基板２１ａと保護板支持金具との導通は、基板２１ａに形成されたねじ穴に、図示しない導通ねじで保護板支持金具を固定することで確保される。ローレットねじと保護板支持金具との導通は、保護板支持金具のねじ受け部にローレットねじを締め付けることで確保される。したがって、「基板２１ａ→保護板支持金具→ローレットねじ→（座金）→導通金具３→（導通ねじ４）→保護板２２」の経路で基板２１ａと保護板２２との導通が確保される。その一方で、基板２１ａに筐体１１を固定するときに塗装を剥がす方法や、基板２１ａとアース端子部とを電線等で接続する方法によって、基板２１ａと筐体１１との導通が確保される。したがって、保護板２２は、導通金具３を設けることで、アース経路を確保可能な構造とすることができる。
【００１７】
導通金具３については、ローレットねじと導通ねじ４との導通が確保される形状であればよく、一部塗装される部分があってもよい。導通金具３が全面非塗装の場合などには、保護板２２上に非塗装部分が露出することになるため、導通金具３を利用して、保護板２２とアース端子部との導通を確認することで、保護板２２のアースが確保されているか否かを検査することができる。なお、導通金具３の一部が塗装され、保護板２２上に非塗装部分が露出しない場合には、頭部が非塗装の導通ねじ４を利用すれば、導通の検査を行うことができる。本例のように導通金具３が、保護板２２と保護板固定部材２４の頭部２４ａとの間に配置された構成であれば、保護板２２の導通金具３が表面側に露出しているため、基板２１ａ（若しくは後述する取付レール２１ｂ）と、保護板２２との導通が確保されるかを容易に確認することができる。導通金具３の孔３１と孔３２との間に凸部が設けられ、保護板２２の孔９１とねじ穴９２との間に設けられた孔に凸部を嵌合させることで、導通金具３をねじ穴９２に取り付ける際に、回転することを防止することができる。
【００１８】
図６及び図７には、保護板２２と保護板支持金具との間に導通金具３を配置した例を示している。本例の場合、導通金具３を保護板２２の下面に固定しているが、保護板２２上の非塗装箇所に電気的につながるように固定されることで、導通金具３と保護板２２との導通が確保されている。また、保護板２２の表面に導通ねじ４の一部が露出するように固定することで、導通ねじ４を導通の検査に利用することができる。
【００１９】
ローレットねじと導通金具３との導通は、ローレットねじが保護板２２から脱落しないようにローレットねじを保護板２２に挿入した後に、ローレットねじの首部２４ｂに取付ける係止部品５と、保護板２２との間に導通金具３を配置することで、係止部品５を介してローレットねじと導通金具３との導通を確保することができる。本実施形態のように、導通金具３が、保護板支持部材２３と保護板２２との間に配置され、導通金具３を保護板２２に固定する導通ねじ４の一部が保護板２２の表面に露出した構成とすることで、導通ねじ４によって、容易に導通確認が行える。また、導通金具３が露出しないため、美観に優れたものとすることができる。
【００２０】
図１乃至７においては、点検時に取り外される保護板２２を備えた電気電子機器収納用箱１について説明を行ったが、図８及び図９に示すことから理解されるように、保護板２２が回動可能な電気電子機器収納用箱１としても良い。この場合、保護板２２を回動可能に支える保護板支持部材２３が機器搭載部２１の構成要素である取付レール２１ｂに固定されている。取付レール２１ｂは金属製である。保護板２２と保護板支持部材２３との固定には保護板固定部材２４であるネジ部材が用いられている。なお、ネジ部材の取付の際に座金を用いても良い。また、保護板２２は導通ねじ４で固定されているものであっても良いし、そうでなくても良い。本例では、導電金具は保護板２２の表面側に固定されており、「取付レール２１ｂ→保護板支持金具→ネジ部材→（座金）→導通金具３→（導通ねじ４）→保護板２２」の経路で取付レール２１ｂと保護板２２との導通が確保される。さらに、筐体１１と導通が確保された取付レール２１ｂを介して、保護板２２のアース経路が確保可能な構造とすることができる。
【００２１】
以上、いくつかの実施形態を中心に説明してきたが、本発明は上記実施形態に限定されることはなく、各種の態様とすることが可能である。例えば、保護板と保護板支持金具との間に、係止部品以外に座金などの非塗装金具を設けてもよい。
【符号の説明】
【００２２】
１    電気電子機器収納用箱
３    導通金具
４    導通ねじ
１３    電気機器
２１    機器搭載部
２２    保護板
２３    保護板支持部材
２４    保護板固定部材
２４ａ  頭部
【図１】
2018133929.tif 000003
【図２】
2018133929.tif 000004
【図３】
2018133929.tif 000005
【図４】
2018133929.tif 000006
【図５】
2018133929.tif 000007
【図６】
2018133929.tif 000008
【図７】
2018133929.tif 000009
【図８】
2018133929.tif 000010
【図９】
2018133929.tif 000011